(57)【要約】【課題】複数の浄化処理容器を一括的に連結固定することができるとともに、浄化処理容器の交換作業を容易に行うことができることができる浄化装置を提供する。【解決手段】浄化装置１は、内部に浄化処理室を有する複数の浄化処理容器Ａ１〜Ａ６を有する。各浄化処理容器Ａ１〜Ａ６の側壁には貫通孔６を有するフランジ７が形成されている。固定棒５が、各浄化処理容器Ａ１〜Ａ６の貫通孔６をそれぞれ挿通し、その両端がナット９によって締結されている。隣接する浄化処理容器同士は連通している。【選択図】    図２
2004261783.tif 000002
【特許請求の範囲】
【請求項１】
上部に開閉蓋が装着される開口部を有するとともに、内部に浄化処理室を有する、ブロー成形加工による成形品である複数の浄化処理容器を備え、
前記複数の浄化処理容器は並設された状態で固定手段により一括的に連結固定されているとともに、前記複数の浄化処理容器のうち隣接する浄化処理容器内の浄化処理室同士が連通していることを特徴とする浄化装置。
【請求項２】
前記固定手段は、
各浄化処理容器の側壁に形成され、貫通孔を有するフランジと、
前記浄化処理容器が並設された状態で、各浄化処理容器の前記貫通孔をそれぞれ挿通する固定棒と、
前記固定棒の両端に締結される固定具と、
を有する、請求項１記載の浄化装置。
【請求項３】
隣接する浄化処理容器のうち一方の浄化処理容器の対向面には、凹部が形成され、他方の浄化処理容器の対向面には、前記凹部に嵌合する凸部が形成されている、請求項２記載の浄化装置。
【請求項４】
隣接する浄化処理容器の各対向面には、嵌合凹部が向き合った位置に形成されており、これらの嵌合凹部に嵌合突起が嵌合している、請求項２記載の浄化装置。
【請求項５】
前記固定手段は、
各浄化処理容器の側壁に形成され、上方に開口した切欠きを有するフランジと、
前記浄化処理容器が並設された状態で、各浄化処理容器の前記フランジに、前記切欠きの開口を介して着脱可能に装着される固定棒と、
前記固定棒の両端に締結される固定具と、
を有する、請求項１記載の浄化装置。
【請求項６】
隣接する浄化処理容器のフランジ間には、筒状スペーサが挟み込まれており、前記固定棒が前記筒状スペーサを挿通している、請求項２又は５記載の浄化装置。
【請求項７】
前記請求項１乃至６の何れかに記載の浄化装置と、
屋外の所定位置に配設され、前記浄化装置が載置される載置板と、
前記載置板に取外し可能に装着され、浄化装置の前記開閉蓋を除く全ての外壁を外囲する外囲体と、
を備えたことを特徴とする浄化システム。
【請求項８】
前記外囲体は、互いに間隔を開けずに浄化装置の外周を取り囲むように配置された複数の外装パネルからなり、前記外装パネルは載置板上に取り外し可能に立設されている、請求項７記載の浄化システム。
【請求項９】
前記浄化装置と前記外囲体との間の空間内に配設された加熱手段と、
前記加熱手段により加熱された空気を、前記浄化装置と前記外囲体との間の空間内において強制循環させる送風手段と、
を備えた、請求項７又は８記載の浄化システム。
【発明の詳細な説明】
【０００１】
【発明の属する技術分野】
本発明は、観光地やキンプ地等に設置される簡易公衆トイレ等からの汚水や、家庭用排水の浄化に利用される浄化装置及びその浄化装置を用いた浄化システムに関する。
【０００２】
【従来の技術】
この種の浄化装置の典型例は、プレス成形加工により作製された浄化槽の内壁に仕切板を接着させることにより、浄化槽内に汚水を処理する機能に応じた複数の部屋を形成するように構成されている。しかし、このような典型例では、容器内壁に仕切板を固着させる作業が必要であり、組立作業に時間がかかる。
そこで、このような問題を解決するため、基本モジュールをタンク形状とし、この基本モジュールタンク（本発明の浄化処理容器に相当）複数個を組み合わせコネクターで結合するようにした多目的モジュールタンク（本発明の浄化装置に相当）が提案されている（例えば、特許文献１参照。）。
【０００３】
【特許文献１】
特開２０００−３３４４３９号公報（第１図）
【０００４】
【発明が解決しようとする課題】
上記特許文献１記載の多目的モジュールタンクは、パッキンを２つの基本モジュールタンクで挟み、それぞれの基本モジュールタンクの内側の一対のフランジをボルト・ナットで締め付けて結合するか、グロメット式パッキンで隣接する基本モジュールタンクの側壁を挟み込むようにして結合し、両基本モジュールタンクの外側から脚が長いステートボルト・ナットで締め付けて連結している（特許文献１の段落００２４参照）。つまり、多目的モジュールタンクを組み立てるに当たっては、隣接する基本モジュールタンク毎に連結するように構成されている。従って、基本モジュールタンクを多数連結したい場合には、時間がかかる。また、基板モジュールタンクが破損等した場合の交換作業に手間がかかり作業性が悪い。
【０００５】
本発明の目的は、複数の浄化処理容器を一括的に連結固定することができるとともに、浄化処理容器の交換作業を容易に行うことができる浄化装置及びその浄化装置を用いた浄化システムを提供することである。
【０００６】
【課題を解決するための手段】
上記課題を解決するため、本発明に係る浄化装置は、上部に開閉蓋が装着される開口部を有するとともに、内部に浄化処理室を有し、ブロー成形加工による成形品である複数の浄化処理容器を備え、複数の浄化処理容器は並設された状態で固定手段により一括的に連結固定されているとともに、複数の浄化処理容器のうち隣接する浄化処理容器内の浄化処理室同士が連通していることを特徴とする。
【０００７】
上記の如く、複数の浄化処理容器を一括的に連結固定する構造とすることにより、複数の浄化処理容器の組立時の作業性を向上することができる。
【０００８】
複数の浄化処理容器を一括的に連結固定する手段としては、各浄化処理容器の側壁に形成され貫通孔を有するフランジと、浄化処理容器が並設された状態で各浄化処理容器の貫通孔をそれぞれ挿通する固定棒と、固定棒の両端に締結される固定具とを有するように構成される場合もある。
【０００９】
隣接する浄化処理容器のうち一方の浄化処理容器の対向面に凹部が形成され、他方の浄化処理容器の対向面には、前記凹部に嵌合する凸部が形成されている場合もある。また、隣接する浄化処理容器の各対向面に嵌合凹部を形成し、これらの嵌合凹部に嵌合突起が嵌合している場合もある。上記構成によれば、浄化処理容器のずれ防止を図ることができる。
【００１０】
また、複数の浄化処理容器を一括的に連結固定する手段としては、各浄化処理容器の側壁に形成され上方に開口した切欠きを有するフランジと、浄化処理容器が並設された状態で各浄化処理容器のフランジに切欠きの開口を介して着脱可能に装着される固定棒と、固定棒の両端に締結される固定具とを有するように構成される場合もある。
【００１１】
このように構成した場合は、固定棒を上方に引き上げることにより、固定棒を各浄化処理容器のフランジから取り外すことができる。従って、浄化装置の設置後に、破損した浄化処理容器の交換作業を容易に行うことができる。
なお、隣接する浄化処理容器のフランジ間に筒状スペーサが挟み込まれ、固定棒が筒状スペーサを挿通している場合もある。
【００１２】
また、本発明に係る浄化システムは、浄化装置と、屋外の所定位置に配設され、前記浄化装置が載置される載置板と、前記載置板に取外し可能に装着され、浄化装置の前記開閉蓋を除く全ての外壁を外囲する外囲体と、を備えたことを特徴とする。
【００１３】
上記の如く、外囲体を設けることにより、屋外に設置される浄化装置の劣化を防止することができる。また、外囲体の外側表面に模様や文字を描くことにより、化粧板としての機能を果たすことができる。
【００１４】
また、本発明に係る浄化システムにおいては、外囲体は互いに間隔を開けずに浄化装置の外周を取り囲むように配置された複数の外装パネルからなり、前記外装パネルは載置板上に取り外し可能に立設されている場合もある。さらに、浄化装置と前記外囲体との間の空間内に、加熱手段と送風手段とを設ける場合もある。
【００１５】
これにより、外装パネルの一部が破損した場合等にその破損した外装パネルのみを容易に交換することができる。また、上記浄化装置と前記外囲体との間の空間内を一定に保温でき、浄化装置内の菌の増殖を図ることができる。この結果、浄化装置の浄化処理能力を向上することができる。
【００１６】
【発明の実施の形態】
（実施の形態１）
図１は実施の形態１に係る浄化装置の使用状態を示す図であり、図２は実施の形態１に係る浄化装置の外観構成図であり、図３はフランジ付近の断面図であり、図４は実施の形態１に係る浄化装置の内部構造を簡略化して示す図である。浄化装置１は、図１に示すように、例えば簡易公衆トイレ２近くの地中に埋設されている。簡易公衆トイレ２から流出された汚水は浄化処理装置１に供給され、浄化処理装置１によって所定の浄化処理がなされる。そして、浄化処理された水は、洗浄水として再利用されたり、散水等に利用されたりするようになっている。
【００１７】
浄化処理装置１は、図２に示すように、上部に開閉蓋２６が装着される開口部２５を有するとともに、内部に所定の浄化処理を行う処理室を有する複数（本実施の形態では６個）の浄化処理容器Ａ１，Ａ２，Ａ３，Ａ４，Ａ５，Ａ６を有する。各浄化処理容器Ａ１〜Ａ６は、例えばポリプローピレン樹脂製であり、ブロー成形加工による成形品である。これらの浄化処理容器Ａ１〜Ａ６は１列に並設され、後述するように連結固定されている。また、隣接する浄化処理容器の対向面にはそれぞれ開口３が形成され、この開口３にはシール部材（図示せず）を介してオーバーフロー管４や連続管２７が装着され、隣接する浄化処理容器が互い連通している。
【００１８】
各浄化処理容器Ａ１〜Ａ６の両側には、一対の固定棒５が配置されている。また、各浄化処理容器Ａ１〜Ａ６の両側壁には浄化処理容器の変形防止用のフランジ７が形成されており、このフランジ７には貫通孔６（図３参照）が形成されている。隣接する浄化処理容器のフランジ７，７間には、フランジの間隔を一定に保持するための円筒状のスペーサ８が配置されている。前記固定棒５は、これら円筒状スペーサ８及びフランジ７の貫通孔６をそれぞれ挿通し、その両端がナット９で締結されている。これにより、各浄化処理容器Ａ１〜Ａ６は一括的に連結固定された状態となっている。
【００１９】
次いで、浄化処理容器Ａ１〜Ａ６の機能について説明する。浄化処理容器Ａ１と浄化処理容器Ａ２とは合併浄化槽として機能する。即ち、浄化処理容器Ａ１は沈殿分離室１３を有し、浄化処理容器Ａ２は接触バッ気室１４及び沈殿室１５を有する。沈殿分離室１３は建物からの流入汚水を固体と液体に分離する機能を果たすものであり、流入する汚物・紙等の大部分はここで貯留される。また、接触バッ気室１４には、プラスチック製接材料が充填されており、バッ気によって処理水に旋回流をつくり酸素を供給するとともに、接触材表面に付着している微生物の作用により汚水がさらに浄化処理される。また、沈殿室１５は、接触バッ気室１４にて生物処理された処理水中の汚泥を沈殿させ、上澄み水と沈殿汚泥に分離する機能を果たす。なお、本実施の形態では、上澄み処理水のＢＯＤ（生物的酸素要求量）濃度は、２０ｍｇ／リットル以下になるように設定されている。
【００２０】
浄化処理容器Ａ３は第１接触濾過室１６を有し、浄化処理容器Ａ４は第２接触濾過室１７を有する。第１接触濾過室１６及び第２接触濾過室１７は、前記沈殿室１５にて分離された上澄み水を中水として再利用するため、汚水をさらに高度処理する機能を果たす。すなわち、接触濾過室１６，１７には、接触材として天然濾過材であるカキ殻が充填されており、汚水中に残る残存有機物及び浮遊物を除去し、ＢＯＤ（生物的酸素要求量）濃度を５ｍｇ／リットル以下にすると同時に、生物分解により低下したＰＨを中性に維持し、より高度な生物処理する機能を果たす。
【００２１】
浄化処理容器Ａ５は、ゼオライトボックス１８ａを備えた沈殿濾過室１８と、を有する。沈殿濾過室１８は、接触濾過室１６，１７で処理された水を再度、汚水と上澄み水に分離し、次工程において活性炭吸着を行うため目詰まりを起こさないように、微細な懸濁物質まで除去する機能を果たす。浄化処理容器Ａ６は、活性炭吸着処理室１９を有するとともに、余剰水を貯水する貯水槽としての機能を果たす。なお、活性炭吸着処理室１９は、活性炭が充填された活性炭吸着筒を備えており、前工程までの処理により、処理された中水を利用者に不快感を与えないように、活性炭により脱色を行う機能を果たす。
【００２２】
上記構成の浄化装置１を設置するに際しては、各浄化処理容器を予め組み立ておいてもよく、又現場において組み立てるようにしてもよい。特に、現場で組み立てる場合、設置場所のスペースを考慮して浄化処理容器の大きさを選択することも可能である。また、必要に応じて、浄化処理容器の増設することも可能である。
【００２３】
このように、本実施の形態に係る浄化装置１は、複数の浄化処理容器を連結固定することにより構成されているため、従来例のように１つの大型容器内を仕切板で仕切る必要がなく、組立作業が容易である。また、固定棒によって一括的に複数の浄化処理容器を連結固定することができるため、組立作業の作業効率の向上を図ることができる。
【００２４】
なお、上記の例では固定棒５は浄化処理容器の両側壁に一対配置されていたけれども、これに加えて、もう１つの固定棒５を各浄化処理容器の底部を挿通するように配置してもよい。
【００２５】
（実施の形態２）
図５は実施の形態２に係る浄化装置の簡略化した側面図である。なお、図５は図解を容易にするため固定棒は省略して描いている。本実施の形態２に係る浄化装置は、容器の一方の対向面に凸部２０を形成し他方の対向面に凹部２１を形成し、隣接する容器の凹部２１に凸部２０を嵌合させることにより、浄化処理容器のズレ（上下方向の縦ズレや左右方向の横ズレ）を防止することを特徴とするものであり、その他の構成は実施の形態１と同様である。各浄化処理容器は固定棒５により連結固定されているため、ズレの防止も図られている。しかし、各浄化処理容器に地震等のような大きな荷重が作用した場合は、固定棒５だけではズレ防止は十分でない。そこで、上記のような構造とすることにより、地震等のような大きな荷重が作用した場合にも、浄化処理容器にズレの発生を防止することができる。
【００２６】
（実施の形態３）
図６は実施の形態２に係る浄化装置の一部を切り欠いた断面図である。なお、図６は図解を容易にするため固定棒は省略して描いている。本実施の形態３では、隣接する各浄化処理容器の対向面に嵌合凹部３０を形成しておき、この嵌合凹部３０に嵌合突起３１を嵌合させるように構成されている。このような構成により、上記実施の形態２と同様に浄化処理容器のズレを防止することができる。
【００２７】
（実施の形態４）
図７は実施の形態４に係る浄化装置の一部の構成を示す斜視図であり、図８はフランジの正面図である。本実施の形態４では、上記実施の形態１の貫通孔６を有するフランジ７に代えて、フランジ７には上方に開口した切欠き２０が形成されている。この切欠き２０は、直線状切欠き部２０ａと、円弧状切欠き部２０ｂとから構成されている。直線状切欠き部２０ａの間隔Ｄ１は、固定棒５の直径ｄよりも僅かに小さく設定されている。また、円弧状切欠き部２０ｂの間隔Ｄ２は、固定棒の直径ｄとほぼ等しく設定されている。このような構成により、後述するように浄化処理容器の交換作業が容易となる。
【００２８】
各浄化処理容器Ａ１〜Ａ６の連結固定に際しては、固定棒５を切欠き２０の開口から挿入する。このとき、固定棒５の押し込みにより、直線状切欠き部２０ａが間隔Ｄ１より若干押し広げられ、固定棒５が挿入することが許容される。そして、固定棒５が直線状切欠き部２０ａを通り、円弧状切欠き部２０ｂに到達する。その後は、固定棒の両端をナットで締結することにより、各浄化処理容器Ａ１〜Ａ６が連結固定されることになる。
【００２９】
浄化装置を設置した後、浄化処理容器に破損が生じると、新たな浄化処理容器に交換する必要が生じる。この場合、固定棒５を上方に引き上げて、切欠き２０から固定棒５を取り外せば、浄化処理容器の連結固定状態が解除されるため、新たな浄化処理容器の交換作業を容易に行うことができる。
【００３０】
（実施の形態５）
図９は浄化装置を用いた浄化システムの平面図であり、図１０は図９の矢視Ｘ１−Ｘ１断面図であり、図１１は図１０の矢視Ｘ２−Ｘ２断面図である。上記実施の形態１〜４においては、浄化装置１は地中に埋設されていたが、本実施の形態５では、浄化装置１Ａは地上に配設されている。本実施の形態５に係る浄化システム４０は、浄化装置１Ａと、屋外の所定位置に配設され、浄化装置１Ａが載置される合成樹脂製の載置板４１と、載置板４１に取外し可能に装着され、浄化装置１Ａの開閉蓋２６を除く全ての外壁面を外囲する外囲体４２とを備えている。なお、上記実施の形態１〜４５の浄化装置１では、各浄化処理容器Ａ１〜Ａ６の両側にそれぞれ１本の固定棒５が配置され、また固定棒５が挿通するフランジ７も各浄化処理容器Ａ１〜Ａ６の両側壁にそれぞれ１個設けられたけれども、本実施の形態５の浄化装置１Ａでは、各浄化処理容器Ａ１〜Ａ６の両側にそれぞれ上下各１本の固定棒（以下、上固定棒５Ａ、下固定棒５Ｂと称する。）が配置され、また固定棒が挿通するフランジも各浄化処理容器Ａ１〜Ａ６の両側壁にそれぞれ上下各１個（以下、上フランジ７Ａ、下フランジ７Ｂと称する。）設けられている。
【００３１】
前記外囲体４２は、複数の合成樹脂製外装パネル４３から構成されている。各外装パネル４３は相互に隣接して浄化装置１Ａの外側を囲むようにして載置板４１に取り外し可能に立設されている。なお、図１０及び図１１において、１００Ａは簡易公衆トイレ等から流出された汚水を浄化処理装置１Ａに導く供給管であり、１００Ｂは浄化処理された水は排出する排出管である。供給管１００Ａ及び排出管１００Ｂは、載置板４１内を挿通し、さらに地中を通って外囲体４２の外側に導かれるように配管されている。
【００３２】
次いで、外装パネル４３の具体的な取付構造について説明する。外装パネル４３は、その形状から大別して、浄化装置１Ａの長手直線状部分を外囲する４個の外装パネル４３Ａ１〜４３Ａ４と、浄化装置１Ａのコーナ部分を外囲する４個の外装パネル４３Ａ５〜４３Ａ８と、浄化装置１Ａの左右両端部分を外囲する２個の外装パネル４３Ａ９〜４３Ａ１０とに、分類される。
【００３３】
外装パネル４３Ａ１は、図１２及び図１３に示すようにその内側面に上下一対の係止片５０が一体的に形成されている。係止片５０は、内方側向けて開口した切欠き５１が形成されている。この切欠き５１は、直線状切欠き部５１ａと、円弧状切欠き部５１ｂと、直線状切欠き部５１ｃから構成されている。直線状切欠き部５１ａの間隔は、円筒状スペーサ８の直径よりも僅かに小さく設定されている。また、円弧状切欠き部５１ｂの間隔（内径）は、円筒状スペーサ８の直径（スペーサ８を使用しない場合は固定棒５の直径）とほぼ等しく設定されている。このような構成により、係止片５０を円筒状スペーサ８に係止させることにより、外装パネル４３Ａ１を載置板４１に取り外し可能に立設することができる。なお、外装パネル４３Ａ２〜４３Ａ４は、外装パネル４３Ａ１と同様な取付構造を有しており、外装パネル４３Ａ１と同様の方法にて、載置板４１に取り外し可能に立設させることができる。
【００３４】
次いで、外装パネル４３Ａ５〜４３Ａ８の具体的な取付構造について説明する。外装パネル４３Ａ５は、図１４及び図１５に示すように、外装パネル４３Ａ１が上下一対の係止片５０を備えていたのとは異なり、その内側面に上固定棒５Ａに係止可能な係止片５０のみが形成されている。なお、外装パネル４３Ａ５の係止片５０には、外装パネル４３Ａ１の切欠き５１と同様の切欠き５１を有している。但し、外装パネル４３Ａ１の係止片５０は、上固定棒５Ａに係止可能とされているため、その直線状切欠き部５１ａの間隔が上固定棒５Ａの直径よりも僅かに小さく設定されており、また、その円弧状切欠き部５１ｂの間隔（内径）が上固定棒５Ａの直径とほぼ等しく設定されている点が、外装パネル４３Ａ１の係止片５０と異なる。また、外装パネル４３Ａ５は、その下端部が外装パネル４３Ａ１の下端部よりも下方に延在している。一方、載置板４１の外装パネル４３Ａ５が立設される部位には、係止溝５５が形成されている。この係止溝５５の内周面のうち、内方側の面５５ａは垂直面となっており、外方側の面５５ｂは傾斜した案内面となっている。このような構成により、外装パネル４３Ａ５の下端部を係止溝５５の案内面５５ｂに沿って差し込み、次いで、外装パネル４３Ａ５を起立させて係止片５０を上固定棒５Ａに係止させることができる。これにより、外装パネル４３Ａ５を載置板４１に取り外し可能に立設させることができる。外装パネル４３Ａ６〜４３Ａ８は外装パネル４３Ａ５と同一の取付構造を有しており、外装パネル４３Ａ５と同様の方法で載置板４１に取り外し可能に立設させることができる。
【００３５】
次いで、外装パネル４３Ａ９〜４３Ａ１０の具体的な取付構造について説明する。外装パネル４３Ａ９は、図１１に示すように、その両側面に上下方向（図１１の紙面に垂直方向）に延びる嵌合凸部５７が形成されている。一方、外装パネル４３Ａ９の両側に配置される外装パネル４３Ａ５，４３Ａ６には、その外装パネル４３Ａ９に接合する側の側面に前記嵌合凸部５７が嵌合する嵌合溝５８がそれぞれ形成されている。このような構成により、予め外装パネル４３Ａ５，４３Ａ６を載置板４１に立設し、次いで、外装パネル４３Ａ９の嵌合凸部５７，５７を外装パネル４３Ａ５，４３Ａ６の嵌合溝５８，５８に差し込むことにより、外装パネル４３Ａ９を載置板４１に取り外し可能に立設させることができる。なお、外装パネル４３Ａ１０は、外装パネル４３Ａ９と同一の取付構造（嵌合凸部５７）を有しており、また、外装パネル４３Ａ１０の両側に配置される外装パネル４３Ａ７，４３Ａ８の外装パネル４３Ａ１０に接合する側の側面にはそれぞれ嵌合溝５８が形成されている。従って、外装パネル４３Ａ９と同様の取付方法により、外装パネル４３Ａ１０を載置板４１に取り外し可能に立設させることができる。
【００３６】
このようにして、外装パネル４３Ａ１〜４３Ａ１０を載置板４１に取り外し可能に立設させることにより、外装パネルの一部が破損した場合等にその破損した外装パネルのみを容易に交換することが可能となる。
【００３７】
また、外装パネル４３Ａ１〜４３Ａ１０から構成される外囲体４２を設けることにより、屋外に設置される浄化装置１Ａの劣化を防止することができる。また、外囲体４２の外側表面に模様や文字を描くことにより、化粧板としての機能を果たすことができる。
【００３８】
また、外囲体４２と浄化装置１Ａとの間の空間内には、図１０及び図１１に示すように、加熱送風機６０が配設されている。加熱送風機６０は、ヒータ等の加熱機構部６０Ａと、加熱機構部６０Ａによって加熱された空気を強制循環させるファン等の送風機構部６０Ｂと有する。また、加熱送風機６０のケーシング前面部には、図１６に示すように、操作部６０Ｃが備えられている。なお、外装パネル４３Ａ１０の操作部６０Ｃに対向する部位には開口７０が形成されており、また、外装パネル４３Ａ１０には、開口７０を開閉するための開閉扉７０が設けられている。操作部６０Ｃには、加熱送風機６０の電源投入用スイッチＳＷ、温度設定用入力キー６１を含むキー群、設定温度表示モニタ５９等が設けられている。また、外囲体４２と浄化装置１Ａとの間の空間内には、温度センサ６２（図１０参照）が設けられている。
【００３９】
加熱送風機６０の電気的構成は、図１７に示されている。温度設定用入力キー６１及び温度センサ６２の出力は、ＣＰＵ６３に与えられる。このＣＰＵ６３には、加熱送風動作の制御プログラムを記憶するＲＯＭ６４と、温度設定用入力キー６１からの設定温度を記憶するＲＡＭ６５とが接続されている。ＣＰＵ６３は、温度センサ６２の検出信号に応じて、設定温度となるように加熱機構部６０Ａ及び送風機構部６０Ｂを制御する。なお、設定温度は、モニタ５９に表示される。
【００４０】
このような構成により、温度設定用入力キー６１により予め所定温度（例えば２５℃〜３５℃）を設定しておくと、温度センサ６２の検出信号に応じて加熱送風機６０が駆動され、外囲体４２と浄化装置１Ａとの間の空間内を一定温度（例えば２５℃〜３５℃）に保温することが可能となる。これにより、浄化装置１Ａを寒冷地において使用する場合でも、浄化装置１Ａ内の接触バッ気室１４に生存する菌を増殖させることができ、浄化処理能力の向上を図ることができる。
【００４１】
（その他の事項）
上記実施の形態では、浄化装置は６つの浄化処理容器を有していたが、設置条件等に応じて増設する場合や減設する場合もあり、本発明は、浄化処理容器の個数に特に限定されるものではない。
【００４２】
また、上記実施の形態では、浄化処理容器は１列に配列されていたが、本発明はこれに限定されるものではなく、２列に配列してもよく、またＬ字状に配列してもよい。
【００４３】
【発明の効果】
以上のように本発明によれば、複数の浄化処理容器を一括的に連結固定する構造とすることにより、組立作業の効率化が図れる。
また、浄化処理容器に切欠きを有するフランジを設け、この切欠きに固定棒を着脱可能に装着する構成とすることにより、浄化処理容器の交換作業を容易に行うことができる。
【００４４】
また、浄化装置が屋外の設置される場合には、浄化装置を載置板に載置し、浄化装置の開閉蓋を除く全ての外壁を外囲する外囲体を、載置板に取外し可能に装着することにより、浄化装置の劣化を防止できる。また、外囲体の外側表面に模様等を描くことにより、化粧板として用いることができる。
【００４５】
さらに、浄化装置と前記外囲体との間の空間内に、加熱手段と送風手段とを配設することにより、上記空間内を保温でき、浄化装置内の菌の増殖を図ることができる。この結果、浄化装置の浄化処理能力を向上することができる。
【図面の簡単な説明】
【図１】実施の形態１に係る浄化装置の使用状態を示す図である。
【図２】実施の形態１に係る浄化装置の外観構成図である。
【図３】実施の形態１に係る浄化装置に設けられるフランジ付近の断面図である。
【図４】実施の形態１に係る浄化装置の内部構造を簡略化して示す図である。
【図５】実施の形態２に係る浄化装置の簡略化した側面図である。
【図６】実施の形態２に係る浄化装置の一部を切り欠いた断面図である。
【図７】実施の形態４に係る浄化装置の一部の構成を示す斜視図である。
【図８】実施の形態４に係る浄化装置に設けられるフランジの正面図である。
【図９】実施の形態５に係る浄化装置を用いた浄化システムの平面図である。
【図１０】図９の矢視Ｘ１−Ｘ１断面図である。
【図１１】図１０の矢視Ｘ２−Ｘ２断面図である。
【図１２】外装パネル４３Ａ１の取付状態を説明する図である。
【図１３】図１２の一部拡大図である。
【図１４】外装パネル４３Ａ５の取付状態を説明する図である。
【図１５】図１４の一部拡大図である。
【図１６】加熱送風機の操作部付近の斜視図である。
【図１７】加熱送風機の電気的構成を示すブロック図である。
【符号の説明】
１，１Ａ：浄化装置                  ２：簡易公衆トイレ
３：開口                            ４：オーバーフロー管
５，５Ａ，５Ｂ：固定棒              ６：貫通孔
７，７Ａ，７Ｂ：フランジ            ８：スペーサ
９：ナット                        ２１：凹部
２０：凸部                          ２６：開閉蓋
３０：嵌合凹部                      ３１：嵌合突起
２０：切欠き                      ２０ａ：直線状切欠き部
２０ｂ：円弧状切欠き部          Ａ１〜Ａ６：浄化処理容器
４０：浄化システム                  ４１：載置板
４２：外囲体            ４３Ａ１〜４３Ａ１０：外装パネル
５０：係止片                        ５５：嵌合溝
６０：加熱送風機                  ６０Ａ：加熱機構部
６０Ｂ：送風機構部
【図１】
2004261783.tif 000003
【図２】
2004261783.tif 000004
【図３】
2004261783.tif 000005
【図４】
2004261783.tif 000006
【図５】
2004261783.tif 000007
【図６】
2004261783.tif 000008
【図７】
2004261783.tif 000009
【図８】
2004261783.tif 000010
【図９】
2004261783.tif 000011
【図１０】
2004261783.tif 000012
【図１１】
2004261783.tif 000013
【図１２】
2004261783.tif 000014
【図１３】
2004261783.tif 000015
【図１４】
2004261783.tif 000016
【図１５】
2004261783.tif 000017
【図１６】
2004261783.tif 000018
【図１７】
2004261783.tif 000019